(57)【要約】      （修正有）【課題】繰り返し使用することを可能とし、かつ、顔面等を圧迫することのない顔カバーを提供する。【解決手段】顔カバー１は、頭部の一部または全部を覆う頭部被覆部材２と、この頭部被覆部材２に装着されて顔面を覆う顔面被覆部材３とを備えている。頭部被覆部材２は、前頭部当接領域に対して積層可能に設けられた積層部材４を備えており、側頭部当接領域の両側の端縁には、紐状部材６が取り付けられている。顔面被覆部材３は、その一端が前頭部当接領域と積層部材４の中間に挿入されて一対の係止部材５により係止される。この一対の係止部材５は、係止凸部と係止凹部で構成されており、これらを互いに係合させることで、顔面被覆部材３の一部が係止され、頭部被覆部材２に装着させることができる。【選択図】図１
0003146248.tif 000002
【実用新案登録請求の範囲】
【請求項１】
頭部の一部または全部を覆う頭部被覆部材と、この頭部被覆部材に装着されて顔面を覆う顔面被覆部材とを備えた顔カバーであって、上記頭部被覆部材は、頭部前面に当接する所定面積の前頭部当接領域に対して積層可能に設けられた積層部材を備えた頭部被覆部材であり、上記前頭部当接領域と積層部材とが対向する双方の表面に分離して設けられた一対の係止手段を複数個所に設け、上記積層部材を前頭部当接領域に積層させつつ上記係止手段により上記顔面被覆部材を装着してなることを特徴とする顔カバー。
【請求項２】
頭部の一部または全部を覆う頭部被覆部材と、この頭部被覆部材に装着されて顔面を覆う顔面被覆部材とを備えた顔カバーであって、上記頭部被覆部材は、頭部前面に当接する所定面積の前頭部当接領域を区分するとともに、この前頭部当接領域に対して積層可能に設けられた積層部材を備えた頭部被覆部材であり、上記前頭部当接領域および積層部材の全体に可撓性のある長尺な帯状部材を配設し、かつ前頭部当接領域と積層部材とが対向する双方の表面に分離して設けられた一対の係止手段を複数個所に設け、上記積層部材を前頭部当接領域に積層させつつ上記係止手段により上記顔面被覆部材を装着してなることを特徴とする顔カバー。
【請求項３】
前記頭部被覆部材は、側頭部に当接する側頭部当接領域を区分するとともに、この側頭部当接領域の端縁に紐状部材が取り付けられている頭部被覆部材である請求項１または２記載の顔カバー。
【請求項４】
前記頭部被覆部材は、後頭部に当接する後頭部当接領域を区分するとともに、この後頭部当接領域の端縁に沿って伸縮する伸縮部材が取り付けられている頭部被覆部材である請求項１ないし３のいずれかに記載の顔カバー。
【請求項５】
前記頭部被覆部材は、頭頂部に当接する頭頂部当接領域を区分する頭部被覆部材であり、上記頭頂部当接領域は、側頭部に当接する側頭部当接領域の間または前頭部に当接する前頭部当接領域と後頭部に当接する後頭部当接領域との間に懸架された帯状の頭頂部当接領域である請求項１ないし４のいずれかに記載の顔カバー。
【請求項６】
前記頭部被覆部材は、頭頂部に当接する頭頂部当接領域を区分する頭部被覆部材であり、上記頭頂部当接領域は、側頭部に当接する側頭部当接領域の間および前頭部に当接する前頭部当接領域と後頭部に当接する後頭部当接領域との間に懸架された二本の帯状の頭頂部当接領域を互いに交差させた頭頂部当接領域である請求項１ないし４のいずれかに記載の顔カバー。
【考案の詳細な説明】
【技術分野】
【０００１】
本考案は、セーター等の衣服の着脱の際に、衣服の襟口に化粧が付着することを防止する顔カバーに関するものである。
【背景技術】
【０００２】
女性が顔面に化粧を施した後に衣服を着替える際、衣服の襟首に化粧が付着することがある。特にセーター等の丸首の衣服を頭から被って着る場合には、襟首に化粧が付着することが顕著である。このとき、衣服の襟首に化粧が付着するのを防止するものとしては、スカーフ等の四角形の布地を頭から被って使用することがある。
【０００３】
しかし、このようなスカーフ等に代表される四角形の布地は、デパート等の試着室では不特定多数の顧客が使用することがあり、衛生上好ましくないという問題があった。また、これらスカーフ等の四角形の布地は頭部との固定手段が無く、衣服の着脱時にはスカーフ等がずれ落ちるという問題もあった。
【０００４】
そこで、通気性および透視性を有するシート状物からなる不織布を頭巾状に構成してなるものが案出された（特許文献１）。かかる構成においては、使い捨てにすることで衛生上の問題を解消し、頭巾状にすることで、着脱時のずれ落ちを解消している。
【０００５】
また、衣服の着脱時のずれ落ちや頭部から外れるという問題を解消するために、円筒状の布を使用するものであって、円筒状の布の開口部の両端縁には伸縮するゴムが円形に配設されており、顔カバーを使用する際に、頭頂部から被って、頭頂部と首部の２箇所で伸縮するゴムにより両部分が固定されるものが案出されている（特許文献２）。
【０００６】
さらに、折り畳みできる顔面カバーであって、カバー開口部側面に伸縮するゴムが施されており顔面に装着できるものも案出されている（特許文献３）。
【特許文献１】登録実用新案  第３０３７９８６号（２頁、図２）
【特許文献２】登録実用新案  第３０６０６４４号（２頁、図２）
【特許文献３】特開２００６−８７７８９号（７頁、図４ないし図６）
【考案の開示】
【考案が解決しようとする課題】
【０００７】
しかしながら、上記の従来技術のうち、シート状物からなる不織布を頭巾状に構成してなる顔カバー（特許文献１）にあっては、その多くがデパート等の試着室で衣服を試着する際に使用されるものであるため、衛生上の観点から一度使用されると再利用されることはなく、基本的に使い捨てにされることが多いものであった。そのため、繰り返し使用するものとしては不適当であった。
【０００８】
また、使い捨てにしない顔カバーであっても、円筒状であって、頭頂部と首部の２箇所に伸縮するゴムが施されている構造の顔カバー（特許文献２）は、この伸縮するゴムにより顔面等を覆う部分が引っ張られて圧迫されるという問題がある。
【０００９】
さらに、開口部に施されている伸縮するゴムにより顔面に装着させる構造の顔カバー（特許文献３）は、全体が不織布で構成されており、使い捨てにされることが多く、また、開口部側面の伸縮するゴムにより、顔の側面が圧迫されるという問題がある。
【００１０】
本考案は、上記諸点にかんがみてなされたものであって、その目的とするところは、繰り返し使用することを可能とし、かつ、顔面等を圧迫することのない顔カバーを提供することである。
【課題を解決するための手段】
【００１１】
そこで、本考案は、頭部の一部または全部を覆う頭部被覆部材と、この頭部被覆部材に装着されて顔面を覆う顔面被覆部材とを備えた顔カバーであって、上記頭部被覆部材は、頭部前面に当接する所定面積の前頭部当接領域に対して積層可能に設けられた積層部材を備えた頭部被覆部材であり、上記前頭部当接領域と積層部材とが対向する双方の表面に分離して設けられた一対の係止手段を複数個所に設け、上記積層部材を前頭部当接領域に積層させつつ上記係止手段により上記顔面被覆部材を装着してなることを特徴とする顔カバーを要旨とする。上記構成によれば、前頭部当接領域および積層部材に係止手段を設けることで、頭部被覆部材に顔面被覆部材を装着させることができる。
【００１２】
また、上記考案は、頭部の一部または全部を覆う頭部被覆部材と、この頭部被覆部材に装着されて顔面を覆う顔面被覆部材とを備えた顔カバーであって、上記頭部被覆部材は、頭部前面に当接する所定面積の前頭部当接領域を区分するとともに、この前頭部当接領域に対して積層可能に設けられた積層部材を備えた頭部被覆部材であり、上記前頭部当接領域および積層部材の全体に可撓性のある長尺な帯状部材を配設し、かつ前頭部当接領域と積層部材とが対向する双方の表面に分離して設けられた一対の係止手段を複数個所に設け、上記積層部材を前頭部当接領域に積層させつつ上記係止手段により上記顔面被覆部材を装着してなることを特徴とする顔カバーを要旨とすることもできる。上記構成によれば、前頭部当接領域および積層部材の全体に可撓性のある長尺な帯状部材を配設し、かつ双方の表面に係止手段を設けることにより、この係止手段により顔面被覆部材を装着し、あるいは脱着した場合であっても、前頭部当接領域および積層部材が容易に破損しないものとすることができる。
【００１３】
このとき、上記各考案において、頭部被覆部材は、側頭部に当接する側頭部当接領域を区分するとともに、この側頭部当接領域の端縁に紐状部材が取り付けられている頭部被覆部材とすることができる。上記構成によれば、側頭部当接領域の端縁に取り付けられた紐状部材を顎下で結紐することで、顔カバーを頭部に固定させることができる。
【００１４】
また、頭部被覆部材は、後頭部に当接する後頭部当接領域を区分するとともに、この後頭部当接領域の端縁に沿って伸縮する伸縮部材が取り付けられている頭部被覆部材とすることもできる。上記構成によれば、後頭部当接領域の端縁に沿って伸縮する伸縮部材を取り付けることで、頭部の大きさに拘らず、顔カバーを頭部に固定させることができる。
【００１５】
さらに、頭部被覆部材は、頭頂部に当接する頭頂部当接領域を区分する頭部被覆部材であり、上記頭頂部当接領域は、側頭部に当接する側頭部当接領域の間または前頭部に当接する前頭部当接領域と後頭部に当接する後頭部当接領域との間に懸架された帯状の頭頂部当接領域とすることもできる。このとき、二本の帯状の頭頂部当接領域を互いに交差するように配設させることもできる。上記構成によれば、各部当接領域の間を帯状の頭頂部当接領域で懸架させることで、頭頂部全体を被覆する必要がなくなるため、頭頂部の通気性を向上させることができる。
【考案の効果】
【００１６】
本考案によれば、前頭部当接領域および積層部材に設けられた係止手段により、頭部被覆部材に顔面被覆部材を装着させることができるため、顔面等が圧迫されることがない。そして、このように頭部に固定された顔カバーの存在により、セーター等の衣服の着脱の際に襟口に化粧が付着することを防止することができる。
【００１７】
また、顔面被覆部材を装着可能とする構成とすることで、顔面被覆部材が脱着された後の顔カバーを洗濯することができる。これにより繰り返し使用することが可能となり衛生的である。
【考案を実施するための最良の形態】
【００１８】
以下、本考案の実施の形態を図面に基づいて説明する。第一の実施形態は、顔カバーに関するものであり、図１および図２に示すように、顔カバー１は、頭部被覆部材２に顔面被覆部３が装着される構成となっている。
【００１９】
頭部被覆部材２は、図１および図２に示すように、頭部の上部全体を覆うことのできる面積を有し、合成繊維からなる平面状のシートで構成されている。この頭部被覆部材２は、頭部の上部全体、すなわち、前頭部、側頭部、後頭部および頭頂部にかかる範囲について、頭部の曲面部分を覆うために袋状に形成されている。このとき、頭部被覆部材２は、視界や呼吸に影響がない個所であるため、透過性および通気性は必ずしも必要とはならない。
【００２０】
図３に示すように、頭部被覆部材２には、頭部前面に当接する前頭部当接領域２１に対して積層可能に設けられた長方形の積層部材４が備えられている。前頭部当接領域２１には、この領域全体に可撓性のある第一の帯状部材２２が配設されている。他方、積層部材４の全体には、可撓性のある第二の帯状部材４１が配設されており、長尺方向の一の端縁が前頭部当接領域２１に縫着されている。この積層部材４の端縁を縫着することにより、積層部材４を開閉自在とする構成とすることができる。
【００２１】
そして、前頭部当接領域２１と積層部材４には、第一の帯状部材２２および第二の帯状部材４１が配設されている面積の範囲内において、双方の表面に分離して設けられた一対の係止部材５が設けられている。この一対の係止部材５は、一方が係止凸部５１、他方が係止凹部５２となっており、両部を互いに係合させることにより、後述の顔面被覆部材３を係止できる構造となっている。
【００２２】
顔面被覆部材３は、図１および図２に示すように、顔の前面に位置し、矩形平面状のシートで構成されている。この矩形平面状のシートは、顔面を覆うものであるため、通気性を確保する必要があり、網目構造を有している。このような構造とすることにより、呼吸を困難にしないものとすることができる。このとき、顔面被覆部材３に透過性を施すこともできる。透過性を施した場合には、顔カバー１を被った状態においても視界を完全に遮蔽することがないため、衣服の着替えの際であっても衣服の前後が容易に判別でき、衣服の前後を誤ることなく衣服の着脱が容易となるのである。
【００２３】
次に、顔カバー１の各部の詳細について説明する。図１に示すように、顔カバー１は、顔面を含む頭部の上部全体に装着させて使用するものであるため、頭部被覆部２の形状は、袋状を形成している。この顔カバー１における顔面を覆う部分には、顔面被覆部材３として網目構造を有する矩形平面状のシートが装着されている。図４に示すように、顔面被覆部材３は、その一端が前頭部当接領域２１と積層部材４の中間に挿入されて一対の係止部材５により係止される。詳細には、係止凸部５１と係止凹部５２で一対の係止部材５を構成しており、これらを互いに係合させることで、その中間に挿入された顔面被覆部材３の一部が係止され、頭部被覆部材２に装着させることとなるのである。これとは逆に、係止凸部５１と係止凹部５２の係合を解除することにより、顔面被覆部材３を頭部被覆部材２から容易に離脱させることができるのである。
【００２４】
頭部被覆部材２の側頭部に当接する部分には、側頭部当接領域２３が区分されている。この側頭部当接領域２３の両側の端縁には、紐状部材６が取り付けられており、顔カバー１を頭部に固定させるために使用されるものとなっている（図３参照）。この紐状部材６は、紐状の合成繊維で構成されており、顔カバー１を頭部に装着させた後に、顎下で結紐させることにより、顔面等を圧迫することなく、顔カバー１を頭部全体に固定することができるのである（図１参照）。なお、この紐状部材６は、使用時に必ず結紐させなければならないものではなく、着用すべき衣装の材質やデザイン等により、結紐しなくても十分使用できる場合があり得る。
【００２５】
また、頭部被覆部材２の後頭部に当接する部分には、後頭部当接領域２４が区分されている。この後頭部当接領域２４には、端縁に沿って伸縮する伸縮部材２５が取り付けられており、顔カバー１を頭部に固定させるために使用されるものとなっている（図５参照）。この伸縮部材２５は、伸縮性のある材料で構成されており、例えばゴムが挙げられる。
【００２６】
このように、本実施形態によれば、使用時において顔カバー１を頭部に固定することができるので、衣服の着脱の際に襟口に化粧が付着することを防ぐことができる。また、頭部被覆部材２は合成繊維からなる平面状のシートであるため、耐久性があり繰り返し使用することが可能である。さらに、顔面被覆部材３は装着可能とする構成であるため、顔カバー１から顔面被覆部材３を脱着した後に、顔カバー１を洗濯することができる。これにより繰り返し使用することが可能となり衛生的である。
【００２７】
次に、本考案の他の実施形態について説明する。本実施形態は、第一の実施形態とほぼ同様の構成であるが、頭部被覆部材２の頭頂部当接領域２６において異なるものである。すなわち、図６に示すように、頭頂部当接領域全体を覆うものではなく、側頭部当接領域２３の間に懸架された帯状の頭頂部当接領域２６１とすることが可能である（図６（ａ）参照）。また、前頭部当接領域２１と後頭部当接領域２４との間に懸架された帯状の頭頂部当接領域２６２とすることも可能である（図６（ｂ）参照）。さらに、図６（ｃ）に示すように、これらの帯状の頭頂部当接領域２６１および２６２を互いに交差させて配設することもできる。このような場合であっても、顔カバー１を頭部に固定させることができるのである。
【００２８】
本実施形態は上記の通りであるが、本考案の趣旨を逸脱しない範囲において種々の態様をとることができる。例えば、上記実施形態の顔面被覆部材３にあっては、矩形平面状の網目構造を有するシートを配設させているが、この顔面被覆部材３と同等の大きさを有する不織布等のシートを配設するようなこともできる。このような場合は、化粧がされた顔面は、不織布等のシートに接触することとなるため、この不織布等のシートを交換することにより、化粧が付着した部分を取り替えることが可能となる。
【００２９】
また、前記実施形態の頭部被覆部２にあっては、この頭部被覆部２の構造を顔面被覆部３と同様の網目構造とすることもできる。この場合には、頭部を覆う顔カバー全体に通気性が確保されることとなり、気温が高い場合の着替えの際には、顔カバーで覆われている部分が蒸れることがない点において有効である。
【００３０】
なお、本実施形態では、頭部被覆部２および顔面被覆部３の材質を合成繊維としたが、耐久性を有し、網目構造が可能な材質であれば、天然繊維や紙であっても本考案の目的を達成することができる。
【００３１】
また、前記第一の帯状部材２２および第二の帯状部材４１は、材質を合成樹脂としたが、可撓性のある材質であれば、例えば、薄厚の金属板であっても本考案の目的を達成することができる。
【００３２】
さらに、前頭部当接領域２１と積層部材４の表面に設けられる一対の係止部材５には、面ファスナーを利用することもできる。このような場合であっても、頭部被覆部材２に顔面被覆部材３を装着させることができる。
【図面の簡単な説明】
【００３３】
【図１】本考案の第一の実施形態を示す斜視図である。
【図２】本考案の第一の実施形態を示す正面図である。
【図３】本考案の頭部被覆部材を示す詳細図である。
【図４】本考案の顔面被覆部材の取付構造を示す断面詳細図である。
【図５】本考案の頭部被覆部材を別方向から見た斜視図である。
【図６】本考案の他の実施形態示す斜視図である。
【符号の説明】
【００３４】
１  顔カバー
２  頭部被覆部材
３  顔面被覆部材
４  積層部材
５  係止部材
６  紐状部材
２１  前頭部当接領域
２２  第一の帯状部材
２３  側頭部当接領域
２４  後頭部当接領域
２５  伸縮部材
２６  頭頂部当接領域
４１  第二の帯状部材
５１  係止凸部
５２  係止凹部
２６１，２６２  頭頂部当接領域
【図１】
0003146248.tif 000003
【図２】
0003146248.tif 000004
【図３】
0003146248.tif 000005
【図４】
0003146248.tif 000006
【図５】
0003146248.tif 000007
【図６】
0003146248.tif 000008